(57)【要約】【課題】  本発明は、監視対象を監視する監視装置等に関し、監視装置の設置場所に常駐することなく監視者が監視対象の障害発生状況を把握可能とする技術、および正常に監視動作が実行されていることを把握可能とする技術を提供する。【解決手段】  監視対象が正常に動作している段階で、表示装置を、ネットワークおよび表示装置が正常であることが確認される第１の表示態様（間欠点灯）に制御するとともに、検出部による監視対象の異常検出を受けて、表示装置を、監視対象が異常であることが確認される第２の表示態様（連続点灯）に制御する。【選択図】        図４
2005173916.tif 000002
【特許請求の範囲】
【請求項１】
監視対象を監視する監視装置において、
監視対象の異常を検出する検出部と、
ネットワークを介し該ネットワークに接続された表示装置の、前記監視対象の異常に関する表示を制御する表示制御部とを備え、
前記表示制御部は、監視対象が正常に動作している段階で、前記表示装置を、前記ネットワークおよび前記表示装置が正常であることが確認される第１の表示態様に制御するとともに、前記検出部による監視対象の異常検出を受けて、前記表示装置を、該監視対象が異常であることが確認される第２の表示態様に制御するものであることを特徴とする監視装置。
【請求項２】
前記表示制御部は、前記第１の表示態様として、前記表示装置を間欠点灯させるものであることを特徴とする請求項１記載の監視装置。
【請求項３】
コンピュータにより実行され、該コンピュータを、監視対象を監視する監視装置として動作させる監視プログラムであって、該コンピュータを、
監視対象の異常を検出する検出部と、
ネットワークを介し該ネットワークに接続された表示装置の、前記監視対象の異常に関する表示を制御する表示制御部とを備え、
前記表示制御部が、監視対象が正常に動作している段階で、前記表示装置を、前記ネットワークおよび前記表示装置が正常であることが確認される第１の表示態様に制御するとともに、前記検出部による監視対象の異常検出を受けて、前記表示装置を、該監視対象が異常であることが確認される第２の表示態様に制御するものである監視装置として動作させることを特徴とする監視プログラム。
【請求項４】
前記表示制御部は、前記第１の表示態様として、前記表示装置を間欠点灯させるものであることを特徴とする請求項３記載の監視プログラム。
【請求項５】
監視対象を監視する監視装置、および、ネットワークを介して該監視装置と接続され該監視装置による表示制御を受ける表示装置からなる監視システムであって、
前記監視装置が、監視対象の異常を検出する検出部と、
ネットワークを介して、前記表示装置の、前記監視対象の異常に関する表示を制御する表示制御部とを備え、
前記表示制御部が、監視対象が正常に動作している段階で、前記表示装置を、前記ネットワークおよび前記表示装置が正常であることが確認される第１の表示態様に制御するとともに、前記検出部による監視対象の異常検出を受けて、前記表示装置を、該監視対象が異常であることが確認される第２の表示態様に制御するものであることを特徴とする監視システム。
【発明の詳細な説明】
【技術分野】
【０００１】
本発明は、監視対象を監視する監視装置、コンピュータで実行されてそのコンピュータを監視装置として動作させる監視プログラム、および、監視装置とその監視装置による監視結果を表示する表示装置とからなる監視システムに関する。
【背景技術】
【０００２】
従来の監視システムとして、ネットワークに接続された複数のサーバを監視対象とし、各サーバのそれぞれが備えるモニタ接続端子に接続したケーブルを介して各サーバの障害メッセージを受信するものがある。その監視装置は１画面を各サーバに対応する運用状態画面として分割し、障害が発生したサーバに対応する運用状態画面を警告色に変更することを実施している（例えば、特許文献１参照。）。
【０００３】
また、従来の監視システムとして、ネットワークに接続された複数のコンピュータを動的に１つのホストコンピュータと複数のスレーブコンピュータとして定義し、ホストコンピュータはスレーブコンピュータからの障害情報を受信して蓄積し、利用者の指示によりそれを読み出し表示装置に可視化表示するものがある（例えば、特許文献２参照。）。
【０００４】
また、従来の他の監視システムとして、表示灯を監視対象とし、その表示灯の電球切れをセンサによって検出するものがある。この例では、操作卓はネットワークを介してセンサからの点灯検出信号が入力されない場合に、操作卓に設けられている表示器が非表示状態になることで、電球切れを操作卓で把握することが可能となるものである（例えば、特許文献３参照。）。
【特許文献１】特開平１１−１７５１８０号公報（段落［００３６］〜［００３９］、第７図）
【特許文献２】特開平７−３２５７７２号公報（段落［００１６］）
【特許文献３】特開昭６１−２１３９９６号公報（第２頁）
【発明の開示】
【発明が解決しようとする課題】
【０００５】
上記従来技術においては、監視装置によって複数の監視対象を監視でき、各監視対象の障害状況を表示し、監視者はその監視装置に表示される情報により障害が発生していることを認識できる。
【０００６】
しかしながら、これら従来技術において、監視者は操作卓や監視装置などでしかその障害発生状況を知ることができなかった。
【０００７】
従って、従来技術においては、監視者が監視装置の設置場所に常駐している必要があった。
【０００８】
また、従来技術においては、監視動作が正常に行われているときに障害が発生したときは、その障害発生状況を把握できるものの、従来技術の表示内容からは監視動作が正常になされているか把握することが困難であった。
【０００９】
本発明では、監視装置に常駐することなく監視者が監視対象の障害発生状況を把握可能とする技術、正常に監視動作が実行されていることを把握可能とする技術を提供することを目的とする。
【課題を解決するための手段】
【００１０】
上記の目的を達成する本発明の監視装置は、監視対象を監視する監視装置において、監視対象の異常を検出する検出部と、ネットワークを介しそのネットワークに接続された表示装置の、監視対象の異常に関する表示を制御する表示制御部とを備えたことを特徴とする。
【００１１】
また、上記の目的を達成する本発明の監視プログラムは、コンピュータにより実行され、該コンピュータを、監視対象を監視する監視装置として動作させる監視プログラムであって、該コンピュータを、監視対象の異常を検出する検出部と、ネットワークを介し該ネットワークに接続された表示装置の、監視対象の異常に関する表示を制御する表示制御部とを備えた監視装置として動作させることを特徴とする。
【００１２】
さらに、上記の目的を達成する本発明の監視システムは、監視対象を監視する監視装置、および、ネットワークを介してその監視装置と接続されその監視装置による表示制御を受ける表示装置からなる監視システムであって、上記監視装置が、監視対象の異常を検出する検出部と、ネットワークを介して、上前記表示装置の、監視対象の異常に関する表示を制御する表示制御部とを備えたことを特徴とする。
【００１３】
ここで、本発明の監視装置、監視プログラム、および監視システムのいずれにおいても、以下のように構成することが好ましい。すなわち、上記表示制御部は、監視対象が正常に動作している段階で、表示装置を、ネットワークおよび表示装置が正常であることが確認される第１の表示態様に制御するとともに、検出部による監視対象の異常検出を受けて、表示装置を、監視対象が異常であることが確認される第２の表示態様に制御するものであることが好ましい。この場合に、上記表示制御部は、第１の表示態様として、表示装置を、少なくとも２つの表示状態を繰り返す所定の表示態様に制御するものであることが好ましく、その場合に、上記表示制御部は、第１の表示態様として、表示装置を、少なくとも点灯状態と消灯状態とを含む少なくとも２つの表示状態を繰り返す所定の表示態様に制御するものであることが好ましく、さらに具体的には、上記表示制御部は、第１の表示態様として、表示装置を間欠点灯させるものであってもよい。
【００１４】
また、上記検出部は、監視対象の異常を複数のランクに分けて検出するものであり、表示制御部は、第２の表示態様として、表示装置を前記検出部により検出された異常のランクに応じて異なる表示態様に制御するものであることが好ましい。
【００１５】
さらに、検出部は、複数の監視対象の異常を検出するものであることが好ましく、その場合に、検出部は、単一筺体内に収容された複数の監視対象の異常を検出するものであってもよく、さらには、この監視装置自体が上記筺体内に収容されたものであってもよい。
【発明の効果】
【００１６】
本発明によれば、監視者が監視装置の設置場所に常駐していなくても、その監視装置から離れた表示装置を視認することにより異常の発生を把握することができる。また、本発明によれば、監視対象が正常状態にあるときに正常に監視動作がなされ、かつネットワークや表示装置が正常に動作していることを確認でき、その表示態様が第２の表示態様に変化することで監視対象の異常の発生を確実に把握することができる。
【発明を実施するための最良の形態】
【００１７】
以下、本発明の実施形態について説明する。
【００１８】
図１は、本発明の一実施形態としての監視装置や表示装置、さらに監視対象である複数のサーバを示す全体構成図である。
【００１９】
ここでは、単一の筺体１００に、監視対象としての３台のサーバ１０，２０，３０が収容されている。
【００２０】
この筺体１００内には、サーバ１０に組み込まれた状態の監視装置２００が備えられている。この監視装置２００は３台のサーバ１０，２０，３０のうちの１台のサーバ１０に組み込まれているが、３台のサーバ１０，２０，３０の異常検出を担っている。
【００２１】
また、ここには表示装置４００も配備されており、監視装置２００と表示装置４００はハブ３００を介しＬＡＮ（Ｌｏｃａｌ  Ａｒｅａ  Ｎｅｔｗｏｒｋ）で接続されている。
【００２２】
監視装置２００は、表示装置４００に向けてＬＡＮを介して表示制御コマンドを送信し、表示装置４００は、その表示制御コマンドを受信しその表示制御コマンドに基づく表示態様で表示を行なう。
【００２３】
この表示装置４００は、制御部４１０と信号灯４２０からなる。信号灯４２０には、赤色ランプ４２１と、黄色ランプ４２２と、緑色ランプ４２３が備えられており、これらのランプ４２１，４２２，４２３は、制御部４１０の制御に応じて点灯あるいは消灯する。
【００２４】
図２は、図１に１つのブロックで示す監視装置の内部構成を示すブロック図である。
【００２５】
この監視装置２００はＣＰＵ２０１やメモリ２０２を備えたコンピュータで構成されており、この監視装置２００には、それらＣＰＵ２０１やメモリ２０２のほか、ネットワーク制御部２０３と、サーバインタフェース制御部２０４が備えられている。ＣＰＵ２０１は、各種プログラムの実行を担っており、メモリ２０２には、ＣＰＵ２０１で実行される各種プログラムが格納されている。このメモリ２０２には、さらに後述する異常履歴情報等も格納される。またネットワーク制御部２０３はＬＡＮの制御を担っており、ＬＡＮを介して表示装置４００（図１参照）に表示制御コマンドを送る。また、サーバインタフェース制御部２０４は、サーバ１０，２０，３０と接続されて、それらのサーバ１０，２０，３０から、それらのサーバ１０，２０，３０の正常、異常を示す情報を収集する。
【００２６】
図３は、図２に示すメモリ２０２内のプログラム記憶領域に記憶されている監視プログラムの概略構成を示す図である。
【００２７】
この監視プログラム５００は、検出部５１０と表示制御部５２０とから構成されている。
【００２８】
検出部５１０は、この監視プログラム５００が図２に示すＣＰＵ２０１で実行されたときにサーバインタフェース制御部２０４を制御してサーバ１０，２０，３０から情報を収集し、それらのサーバ１０，２０，３０に何らかの異常があるときにその異常を検出する役割りを担っているプログラム部品である。
【００２９】
ここで、各サーバ１０，２０，３０の異常を検出するにあたっては、本実施形態ではその異常が軽度レベルの異常であるか、重度レベルの異常であるか、それとも危険レベルの異常であるかの３段階のランクに分けて検出する。
【００３０】
また、図３に示す監視プログラム５００の表示制御部５２０は、その監視プログラム５００がＣＰＵ２０１で実行されたときにネットワーク制御部２０３を制御し、ＬＡＮを経由して、表示装置４００（図１参照）に表示制御コマンドを送信する役割を担っている。この表示制御コマンドの種類および表示装置４００の表示態様については以下において説明する。
【００３１】
図４は、表示装置における表示態様を示す図である。
【００３２】
図１に示す表示装置４００では、図４に示す４つの表示態様のうちのいずれかの表示態様で表示が行なわれる。
【００３３】
（Ａ）は連続点灯を表わしており、これはサーバ１０，２０，３０（図１参照）のいずれかに異常が発生したことを示している。図１に示す表示装置４００の信号灯４２０には赤色ランプ４２１、黄色ランプ４２２および緑色ランプ４２３の３つのランプが備えられているが、ここでは、その異常のランクに応じ、赤色ランプ４２１、黄色ランプ４２２、および緑色ランプ４２３のうちのいずれか１つのランプが連続点灯し、他のランプは消灯状態となる。
【００３４】
（Ｂ）は連続点滅を表わしており、ネットワーク（ＬＡＮ）の異常を意味する。このときは、赤色ランプ４２１、黄色ランプ４２２および緑色ランプ４２３の全てが連続点滅する。
【００３５】
（Ｃ）は、間欠点灯を表わしており、サーバもＬＡＮも表示装置４００（図１参照）も全て正常な状態にあることを意味する。このときも、（Ｂ）の場合と同様、赤色ランプ４２１、黄色ランプ４２２および緑色ランプ４２３の全てのランプが対象となり、これら全てのランプが間欠点灯する。
【００３６】
（Ｄ）は、連続消灯を表わしており、これも（Ｂ）と同様ネットワーク（ＬＡＮ）の異常を意味している。このときは、赤色ランプ４２１、黄色ランプ４２２、および緑色ランプ４２３のいずれもが消灯状態となる。
【００３７】
図５は、異常検出処理ルーチンを示すフローチャートである。この図５に示す異常検出処理ルーチンは、図３に示す監視プログラム５００の検出部５１０に相当し、この図５に示す異常検出処理ルーチンが図２に示すＣＰＵ２０１で実行されたときの、ＣＰＵ２０１、メモリ２０２、サーバインタフェース制御部２０４等のハードウェアと図５に示す異常検出処理ルーチンとの組合せが本発明の監視装置および監視システムにいう検出部の一実施形態に相当する。
【００３８】
図５に示す異常検出処理ルーチンは、サーバ１０，２０，３０からの異常が発生した旨の通知を受けて起動される。この異常検出処理ルーチンが起動されると、図２の監視装置２００は、監視対象である３台のサーバ１０，２０，３０から、サーバインタフェース制御部２０４を経由して異常判定に有用な情報を収集し（ステップａ１）、その収集された情報に基づいて各サーバ１０，２０，３０の異常の検出が行なわれる（ステップａ２）。ここでは、発生した異常が、サーバを直ちに停止させる必要がある、あるいはサーバとしての用をなさない程度にサーバ内のデータが破壊されている等の危険レベル、危険とまでは言えないが、直ちにメンテナンスを行なう必要がある重度レベル、あるいは、例えばハードディスクのシークエラーが増えてきた場合など、直ちにメンテナンスを行なう必要はないものの、今度の推移を注意しておく必要のある軽度レベルのいずれのランクの異常であるかが認識される。
【００３９】
ステップａ２で異常が検出されると（ステップａ３）、異常発生時処理ルーチン（図８を参照して後述する）が起動される（ステップａ４）。
【００４０】
図６は、応答確認処理ルーチンのフローチャートである。この図６に示す応答確認処理ルーチンと、後で説明する、図８に示す異常発生時処理ルーチンとを合わせたものが、図３に示す監視プログラムの表示制御部３２０に相当し、この図６に示す応答確認処理ルーチンや図８に示す異常発生時処理ルーチンが図２に示すＣＰＵ２０１で実行されたときの、ＣＰＵ２０１、メモリ２０２、ネットワーク制御部２０３等のハードウェアと、図６、図８に示す応答確認処理ルーチン、異常発生時処理ルーチンとの組合せが、本発明の監視装置および監視システムにいう表示制御部の一実施形態に相当する。
【００４１】
図６に示す応答確認処理ルーチンは、異常未発生時に繰り返し実行されており、先ずステップｂ１において、表示制御コマンドの一種である点滅オンコマンドが発行される。ここで、点滅オンコマンドが発行されると、その点滅オンコマンドは、図２に示すネットワーク制御部２０３、ＬＡＮ、ハブ３００を経由して図１に示す表示装置４００の制御部４１０に伝えられる。すると、表示装置４００の制御部４１０は、その点滅オンコマンドを受けて、信号灯４２０の赤色ランプ４２１、黄色ランプ４２２、および緑色ランプ４２３からなる３つのランプ全てについて、図４の（Ｂ）の表示態様の連続点滅を開始する。尚、この時点では、連続点滅を開始しただけであって、信号灯４２０が初回に点灯した直後の状態にあり、まだ点滅が繰り返されている訳ではない。
【００４２】
表示装置４００の制御部４１０は、点滅オンコマンドを受け取ると、上記のとおり信号灯４２０の３つのランプ４２１，４２２，４２３の点滅を「開始」するとともに、ＬＡＮおよびハブ３００を介して、監視装置２００に、表示制御コマンド（ここでは点滅オンコマンド）を受け取ったことを表わす応答コマンドを返す。
【００４３】
図６のステップｂ２では、その返ってきた応答コマンドの確認が行なわれ、その応答コマンドが正常応答を示しているか否か、すなわち、ステップｂ１で発行した点滅オンコマンドが表示装置４００に正しく到達したか否かが判定される（ステップｂ３）。
【００４４】
正常応答であったときは、今度は、これも表示制御コマンドの一つである点滅オフコマンドが発行され（ステップｂ４）、上記と同様にして応答コマンドの確認が行なわれ（ステップｂ５）、その応答コマンドが正常応答を示しているか否かが判定される（ステップｂ６）。
【００４５】
ステップｂ４で点滅オフコマンドが発行されると、表示装置４００の制御部４１０では、ステップｂ１で発行された点滅オンコマンドを受けて点滅を開始したばかり（未だ初回の点灯中）の点滅動作を停止して信号灯４２０を消灯する。その後、その消灯した状態のままＴ秒間時間待ちが行なわれる（ステップｂ７）。
【００４６】
すなわち、この段階では表示装置４００では、信号灯４２０が一回だけ点滅しその後Ｔ秒間消灯した状態にとどまることを意味する。
【００４７】
図６の応答確認処理ルーチンのステップｂ８では、図５の異常検出処理ルーチンでサーバの異常が検出されたか否かが判定され、サーバの異常が検出されたときはそのまま終了し、サーバの異常がないときは再びステップｂ１に戻る。
【００４８】
すなわち、正常状態においては、表示装置４００の信号灯は、一回点滅してＴ秒間消灯し、再度一回点滅してＴ秒間消灯するという、図４（Ｃ）に示す間欠点灯の状態となる。
【００４９】
監視者は、この間欠点灯状態を確認することによって、図１に示すシステムの全てが正常に動作していること、すなわち、サーバ１０，２０，３０の異常は検出されず、監視装置２００から正常に表示制御コマンドが送信され、ＬＡＮやハブ３００も正常に通信が行なわれ、表示装置４００の制御部４１０も正常に動作し、信号灯４２０もランプ切れ等がなく３つのランプ４２１，４２２，４２３のいずれもが正常に点灯することが確認される。
【００５０】
図６のステップｂ３において正常応答ではないと判定されると、ステップｂ９に進み異常通知処理が行なわれる。このステップｂ９での異常通知処理では、図２に示す監視装置２００のメモリ２０２の、異常履歴情報記録領域に異常が発生したことが記録される。
【００５１】
また、ステップｂ３で正常応答ではないと判定されたときは、Ｔ秒ほど前にステップｂ４で発行された点滅オフコマンド発行時は正常であったことから、信号灯４２０は、図４（Ｄ）に示す連続消灯状態となる。監視者は、この連続消灯を確認することにより、通信路（ＬＡＮ）に異常が発生したことを知ることができる。
【００５２】
また、図６のステップｂ３では正常応答と判定されステップｂ６で正常応答ではないと判定されたときも、ステップｂ９に進み、異常通知処理、すなわちメモリ２０２の異常履歴情報記録領域への異常発生記録が行なわれる。ステップｂ６で正常応答ではないと判定されると、その直前におけるステップｂ１で発行された点滅オンコマンドは正常に伝えられていることから、表示装置４００の制御部４１０は信号灯４２０は点滅オンコマンドに基づいたた制御を続け、信号灯４２０は図４（Ｂ）に示す連続点滅状態となる。このときは、この連続点滅によってネットワークの異常が確認される。
【００５３】
次に、サーバに異常が発生した場合について説明する。
【００５４】
図７は、監視対象であるサーバに異常が発生したときの様子を示す模式図である。
【００５５】
ここでは、３台のサーバ１０，２０，３０のうちの１台のサーバ３０に異常が発生したことが想定されており、この場合、そのサーバ３０から監視装置２００に異常発生が伝えられ、監視装置２００では、この異常発生の通知を受けて、前述した図５に示す異常検出処理ルーチンが起動されて異常のランクが認識され、以下において説明する異常発生時処理ルーチン（図８）が起動される（図５ステップａ４）。またこのとき、図６に示す応答確認処理ルーチンはその処理を停止する（図６ステップｂ８）。
【００５６】
図８は、異常発生時に起動される異常発生時処理ルーチンのフローチャートである。
【００５７】
この異常発生時処理ルーチンは、サーバに異常が発生したときに図５に示す異常検出処理ルーチンによって起動される（ステップａ４）。
【００５８】
この異常発生時処理ルーチンが起動されると、今回発生したサーバの異常が危険レベルの異常であるか否か（ステップｃ１）、重度レベルの異常であるかあるいは軽度レベルの異常であるか（ステップｃ２）が判定され、危険レベル、重度レベル、および軽度レベルの異常の場合、それぞれ赤色ランプ４２１、黄色ランプ４２２、および緑色ランプ４２３（図１参照）の連続点灯を指示する、それぞれ連続点灯（赤色）オンコマンド、連続点灯（黄色）オンコマンド、および連続点灯（緑色）オンコマンドが発行される（ステップｃ３，ｃ４，ｃ５）。ステップｃ６では、表示装置４００からの応答コマンドの確認が行なわれ、正常応答のときはそのまま終了し（ステップｃ７）、正常応答ではなかったときは、ステップｃ８に進んで異常通知処理、すなわち図２に示すメモリ２０２の異常履歴情報記録領域への異常発生記録が行なわれてから終了する。
【００５９】
この異常発生時処理ルーチンが起動されると、その異常のランク（危険レベル、重度レベル、軽度レベル）に応じて、図１に示す信号灯４２０の、それぞれ赤色ランプ４２１、黄色ランプ４２２、緑色ランプ４２３が連続点灯し、他のランプは消灯した状態となる（図４（Ａ）参照）。
【００６０】
この状態の信号灯４２０を確認することにより、サーバに異常が発生したこと、およびその異常のランクを確認することができる。
【００６１】
この実施形態では、上記のとおり、正常に動作しているときに信号灯４２０の点灯状態により正常に動作していることを確認することができ、したがって、異常が発生したときに直ちに正確に表示されるということに高い信頼を置くことができる。
【００６２】
以下、本発明の各種態様を付記する。
【００６３】
（付記１）
監視対象を監視する監視装置において、
監視対象の異常を検出する検出部と、
ネットワークを介し該ネットワークに接続された表示装置の、前記監視対象の異常に関する表示を制御する表示制御部とを備えたことを特徴とする監視装置。
【００６４】
（付記２）
前記表示制御部は、監視対象が正常に動作している段階で、前記表示装置を、前記ネットワークおよび前記表示装置が正常であることが確認される第１の表示態様に制御するとともに、前記検出部による監視対象の異常検出を受けて、前記表示装置を、該監視対象が異常であることが確認される第２の表示態様に制御するものであることを特徴とする付記１記載の監視装置。
【００６５】
（付記３）
前記表示制御部は、前記第１の表示態様として、前記表示装置を、少なくとも２つの表示状態を繰り返す所定の表示態様に制御するものであることを特徴とする付記２記載の監視装置。
【００６６】
（付記４）
前記表示制御部は、前記第１の表示態様として、前記表示装置を、少なくとも点灯状態と消灯状態とを含む少なくとも２つの表示状態を繰り返す所定の表示態様に制御するものであることを特徴とする付記３記載の監視装置。
【００６７】
（付記５）
前記表示制御部は、前記第１の表示態様として、前記表示装置を間欠点灯させるものであることを特徴とする付記４記載の監視装置。
【００６８】
（付記６）
前記検出部は、監視対象の異常を複数のランクに分けて検出するものであり、
前記表示制御部は、前記第２の表示態様として、前記表示装置を、前記検出部により検出された異常のランクに応じて異なる表示態様に制御するものであることを特徴とする付記２記載の監視装置。
【００６９】
（付記７）
前記検出部は、複数の監視対象の異常を検出するものであることを特徴とする付記１記載の監視装置。
【００７０】
（付記８）
前記検出部は、単一筺体内に収容された複数の監視対象の異常を検出するものであることを特徴とする付記７記載の監視装置。
【００７１】
（付記９）
この監視装置は、前記筺体内に収容されたものであることを特徴とする付記８記載の監視装置。
【００７２】
（付記１０）
コンピュータにより実行され、該コンピュータを、監視対象を監視する監視装置として動作させる監視プログラムであって、該コンピュータを、
監視対象の異常を検出する検出部と、
ネットワークを介し該ネットワークに接続された表示装置の、前記監視対象の異常に関する表示を制御する表示制御部とを備えた監視装置として動作させることを特徴とする監視プログラム。
【００７３】
（付記１１）
前記表示制御部が、監視対象が正常に動作している段階で、前記表示装置を、前記ネットワークおよび前記表示装置が正常であることが確認される第１の表示態様に制御するとともに、前記検出部による監視対象の異常検出を受けて、前記表示装置を、該監視対象が異常であることが確認される第２の表示態様に制御するものであることを特徴とする付記１０記載の監視プログラム。
【００７４】
（付記１２）
前記表示制御部は、前記第１の表示態様として、前記表示装置を、少なくとも２つの表示状態を繰り返す所定の表示態様に制御するものであることを特徴とする付記１１記載の監視プログラム。
【００７５】
（付記１３）
前記表示制御部は、前記第１の表示態様として、前記表示装置を、少なくとも点灯状態と消灯状態とを含む少なくとも２つの表示状態を繰り返す所定の表示態様に制御するものであることを特徴とする付記１２記載の監視プログラム。
【００７６】
（付記１４）
前記表示制御部は、前記第１の表示態様として、前記表示装置を間欠点灯させるものであることを特徴とする付記１３記載の監視プログラム。
【００７７】
（付記１５）
前記検出部は、監視対象の異常を複数のランクに分けて検出するものであり、
前記表示制御部は、前記第２の表示態様として、前記表示装置を、前記検出部により検出された異常のランクに応じて異なる表示態様に制御するものであることを特徴とする付記１１記載の監視プログラム。
【００７８】
（付記１６）
前記検出部は、複数の監視対象の異常を検出するものであることを特徴とする付記１１記載の監視プログラム。
【００７９】
（付記１７）
前記検出部は、単一筺体内に収容された複数の監視対象の異常を検出するものであることを特徴とする付記１６記載の監視プログラム。
【００８０】
（付記１８）
この監視プログラムは、前記筺体内に収容されたコンピュータにより実行されたものであることを特徴とする付記１７記載の監視プログラム。
【００８１】
（付記１９）
監視対象を監視する監視装置、およびネットワークを介して該監視装置と接続され該監視装置による表示制御を受ける表示装置からなる監視システムであって、
前記監視装置が、監視対象の異常を検出する検出部と、
ネットワークを介して、前記表示装置の、前記監視対象の異常に関する表示を制御する表示制御部とを備えたことを特徴とする監視システム。
【００８２】
（付記２０）
前記表示制御部が、監視対象が正常に動作している段階で、前記表示装置を、前記ネットワークおよび前記表示装置が正常であることが確認される第１の表示態様に制御するとともに、前記検出部による監視対象の異常検出を受けて、前記表示装置を、該監視対象が異常であることが確認される第２の表示態様に制御するものであることを特徴とする付記１９記載の監視システム。
【００８３】
（付記２１）
前記表示制御部は、前記第１の表示態様として、前記表示装置を、少なくとも２つの表示状態を繰り返す所定の表示態様に制御するものであることを特徴とする付記１９記載の監視システム。
【００８４】
（付記２２）
前記表示制御部は、前記第１の表示態様として、前記表示装置を、少なくとも点灯状態と消灯状態とを含む少なくとも２つの表示状態を繰り返す所定の表示態様に制御するものであることを特徴とする付記２１記載の監視システム。
【００８５】
（付記２３）
前記表示制御部は、前記第１の表示態様として、前記表示装置を間欠点灯させるものであることを特徴とする付記２２記載の監視システム。
【００８６】
（付記２４）
前記検出部は、監視対象の異常を複数のランクに分けて検出するものであり、
前記表示制御部は、前記第２の表示態様として、前記表示装置を、前記検出部により検出された異常のランクに応じて異なる表示態様に制御するものであることを特徴とする付記２０記載の監視システム。
【００８７】
（付記２５）
前記検出部は、複数の監視対象の異常を検出するものであることを特徴とする付記２０記載の監視システム。
【００８８】
（付記２６）
前記検出部は、単一筺体内に収容された複数の監視対象の異常を検出するものであることを特徴とする付記２５記載の監視システム。
【００８９】
（付記２７）
前記監視装置は前記筺体内に収容されたものであることを特徴とする付記２６記載の監視システム。
【図面の簡単な説明】
【００９０】
【図１】本発明の一実施形態としての監視装置や表示装置、さらに監視対象である複数のサーバを示す全体構成図である。
【図２】図１に１つのブロックで示す監視装置の内部構成を示すブロック図である。
【図３】監視プログラムの概略構成を示す図である。
【図４】表示装置における表示態様を示す図である。
【図５】異常検出処理ルーチンを示すフローチャートである。
【図６】応答確認処理ルーチンのフローチャートである。
【図７】監視対象であるサーバに異常が発生したときの様子を示す模式図である。
【図８】異常発生時に起動される異常発生時処理ルーチンのフローチャートである。
【符号の説明】
【００９１】
１０，２０，３０    サーバ
１００    筺体
２００    監視装置
２０１    ＣＰＵ
２０２    メモリ
２０３    ネットワーク制御部
２０４    サーバインタフェース制御部
３００    ハブ
４００    表示装置
４１０    制御部
４２０    信号灯
４２１    赤色ランプ
４２２    黄色ランプ
４２３    緑色ランプ
【図１】
2005173916.tif 000003
【図２】
2005173916.tif 000004
【図３】
2005173916.tif 000005
【図４】
2005173916.tif 000006
【図５】
2005173916.tif 000007
【図６】
2005173916.tif 000008
【図７】
2005173916.tif 000009
【図８】
2005173916.tif 000010